(57)【要約】【課題】潜在的に多くの人々が快適な睡眠を求めており、そのような睡眠を必要とする人たちの求めに叶い、かつ安定した作動によりユーザを眠りに導く愛玩具の提供を目的とする。【解決手段】本発明の愛玩具は、生き物の形態若しくは生体的な個性を与えられた物体の形態を模した本体１と、本体１に内蔵され、生き物の呼吸音を録音したか若しくは人工的に合成した音声を発する音声発生部２と、音声発生部２とともに本体１に内蔵され、音声発生部２が発する音声のリズムに同調して空気を本体１から吹き出す空気吹出部３とを備える。ユーザは、自分のお気に入りのキャラクターを纏った愛玩具がさもその場に生きて存在し、自分のそばで穏やかな寝息をたてて眠りに着いているかのような感覚を得て安らぎを感じ、やがて自らも静かに眠りに落ちていく。【選択図】図１
0003192253.tif 000002
【実用新案登録請求の範囲】
【請求項１】
生き物の形態若しくは生体的な個性を与えられた物体の形態を模した本体と、
前記本体に内蔵され、生き物の呼吸音を録音したか若しくは人工的に合成した音声を発する音声発生部と、
前記音声発生部とともに前記本体に内蔵され、前記音声発生部が発する音声のリズムに同調して空気を前記本体から吹き出す空気吹出部とを備える誘眠効果を生む愛玩具。
【請求項２】
前記空気吹出部は、空気を吸い込み加速して送出するファンと、前記ファンを駆動するモータと、前記ファンから送出される空気を吹き出すノズル部とを備える請求項１に記載の愛玩具。
【請求項３】
前記ノズル部は、生き物の形態を模した前記本体の口に相当する部分に配置されている請求項１又は２に記載の愛玩具。
【請求項４】
前記音声発生部は、生き物が呼吸する際の吸気音及び該吸気音に続いて発生する排気音をそれぞれ所定時間ずつ発生させることを前記音声のひとつのサイクルとして該サイクルを繰り返し発生するように制御され、
前記空気吹出部は、吸気音発生時には前記モータの駆動を停止し、排気音発声時には前記モータを駆動するように制御される請求項２又は３に記載の愛玩具。
【請求項５】
前記音声発生部及び前記空気吹出部の作動開始、作動停止及び作動の延長を行うために操作される第一のスイッチ部をさらに備え、
前記第一のスイッチ部を構成するボタンは、前記音声発生部及び前記空気吹出部を収めるケーシングの一部に設けられ、前記ボタンの押下面は前記ケーシングの表面よりも下位にある請求項１から４のいずれか一項に記載の愛玩具。
【考案の詳細な説明】
【技術分野】
【０００１】
本考案は、誘眠効果を生む愛玩具に関する。
【背景技術】
【０００２】
現代社会を生きる人々は無意識に多くのストレスに接しており、そのようなストレスを抱え込むことで身体に不調を生じることも多い。そのような不調のひとつが不眠である。不眠は極端な体調不良を伴ったりすることは少ないが、放置すれば心身に異変を来す原因にもなり得て健康の維持を難しくするやっかいな疾患である。
重度とはいえないまでも不眠を感じる人々は多く存在し、市場にはそのような人々をターゲットとして快適な睡眠を得るための様々な快眠グッズが販売されている。
【０００３】
例えば、人形内に、呼吸音を発する発生器、発生器の作動に伴って駆動する駆動モータ、空気を吐息の如く排出する呼吸装置、及び人形の腹部を動かす鼓動装置が内蔵された快眠グッズが知られている（例えば特許文献１参照）。
呼吸装置は、駆動モータの駆動に伴って回転するクランクに連結され、クランクの回転に伴って直線運動する第１連結棒を有している。呼吸装置は、この第１連結棒の直線運動を利用して人形の腹部を膨らませたり凹ませたりしている。鼓動装置は、上記クランクに連結され、クランクの回転に伴って直線運動する第２連結棒を有している。鼓動装置は、この第２連結棒の直線運動を利用してシリンダ内のピストンを作動させ、シリンダに接続されたパイプを通じて人形の口（若しくは鼻）に相当する部分から空気を排出している。この快眠グッズでは、発生器、呼吸装置及び鼓動装置を同調して作動させることができ、吐息を発するとともに鼓動を生じさせ、ユーザを穏やかな気持ちにさせて睡眠に導いている。
【先行技術文献】
【特許文献】
【０００４】
【特許文献１】特開２０００−２５４３５８号公報
【考案の概要】
【考案が解決しようとする課題】
【０００５】
上記の快眠グッズをはじめ、市場にはより快適で安らかな睡眠を得るための商品が多数販売されており、潜在的に多くの人々が快適な睡眠を求めていることは疑いのない事実である。
しかしながら、上記の快眠グッズでは、ユーザが無意識に身体を動かすことでそばに置いた人形の腹部が下向きになったり、人形の腹部にユーザの身体が触れたりして、人形の腹部の動きが阻害されてしまう可能性がある。そういった場合、第１連結棒がスムーズに直線運動しなくなるので、クランクの回転に影響を与えてしまう。また、駆動装置だけでなく呼吸装置が適切に作動しなくなる場合があり、吐息と鼓動が合わさった心地よいリズムが途絶えてユーザが違和感を覚え、眠りが妨げられる可能性がある。
【０００６】
本考案は上記の事情に鑑みてなされたものであり、不眠を抱える人々だけでなく、幼児や子供を含め十分な睡眠を必要とする人たちの求めに叶い、かつ安定した作動によりユーザを眠りに導く愛玩具の提供を目的としている。
【課題を解決するための手段】
【０００７】
本考案の愛玩具は、生き物の形態若しくは生体的な個性を与えられた物体の形態を模した本体と、前記本体に内蔵され、生き物の呼吸音を録音したか若しくは人工的に合成した音声を発する音声発生部と、前記音声発生部とともに前記本体に内蔵され、前記音声発生部が発する音声のリズムに同調して空気を前記本体から吹き出す気体吹出部とを備える。
【０００８】
本考案の愛玩具において、前記空気吹出部は、空気を吸い込み加速して送出するファンと、前記ファンを駆動するモータと、前記ファンから送出される空気を吹き出すノズル部とを備えていてもよい。
【０００９】
本考案の愛玩具において、前記ノズル部は、生き物の形態を模した前記本体の口に相当する部分に配置されていてもよい。
【００１０】
本考案の愛玩具において、前記音声発生部は、生き物が呼吸する際の吸気音及び該吸気音に続いて発生する排気音をそれぞれ所定時間ずつ発生させることを前記音声のひとつのサイクルとして該サイクルを繰り返し発生するように制御され、前記空気吹出部は、吸気音発生時には前記モータの駆動を停止し、排気音発声時には前記モータを駆動するように制御されてもよい。
【００１１】
本考案の愛玩具は、前記音声発生部及び前記空気吹出部の作動開始、作動停止及び作動の延長を行うために操作される第一のスイッチ部をさらに備え、前記第一のスイッチ部を構成するボタンは、前記音声発生部及び前記空気吹出部を収めるケーシングの一部に設けられ、前記ボタンの押下面は前記ケーシングの表面よりも下位にあってもよい。
【考案の効果】
【００１２】
本考案の愛玩具によれば、生き物の形態又は生体的な個性を与えられた物体の形態を模した本体から、生き物の寝息のような呼吸音が発せられると共に、その呼吸音に伴って空気が優しく吹き出されることにより、ユーザは、自分のお気に入りのキャラクターを纏った愛玩具がさもその場に生きて存在し、自分のそばで穏やかな寝息をたてて眠りに着いているかのような感覚を得て安らぎを感じ、やがて自らも静かに眠りに落ちていく。
こうして、不眠を抱える人々だけでなく、幼児や子供を含め十分な睡眠を必要とする人たちを、優しく豊かな眠りに誘うことができる。
また、本考案の愛玩具によれば、眠気を感じてまどろむユーザが無意識に身体を動かすことで本考案の愛玩具を身体の下に引いたり圧迫したりしても、空気の吹出動作が止まってしまうことはない。また、ファンはモータで駆動されるためモータの作動音を生じるが、ファンが回転し空気を吹き出している間は寝息の音が再生されているので、モータの作動音を打ち消され、ユーザに不自然さを感じさせることがない。
また、第一のスイッチ部においてはボタンの押下面がケーシングの表面よりも低くなっているので、第一のスイッチ部を操作するにはボタンを指先で押し込むような動きが必要であり、眠気を感じてまどろむユーザが無意識にする動作などでは第一のスイッチ部が操作されることはない。
【図面の簡単な説明】
【００１３】
【図１】本考案の一実施形態であるクマのぬいぐるみの外観を示す斜視図である。
【図２】本考案の一実施形態であるクマのぬいぐるみを、図１とは異なる方向から見た斜視図である。
【図３】図１、図２に示したクマのぬいぐるみに収容されている音声発生部及び空気吹出部を内蔵したケーシングを示す斜視図である。
【図４】前記ケーシングを、図３とは異なる方向から見た斜視図である。
【図５】前記ケーシングに内蔵される各部の機能ブロック図である。
【考案を実施するための形態】
【００１４】
本考案の実施形態の一例を図１から図５を参照して説明する。
図１、図２は本考案を実施した愛玩具の外観を、図３、図４はぬいぐるみの本体に内蔵されたケーシングを示している。本愛玩具は一見するとクマの形態を模したぬいぐるみであって、布地を縫製して作られたぬいぐるみの本体１と、本体１に内蔵され、実在の生き物（例えば人間や動物）の呼吸音を人工的に合成した音声と、その音声と相性良くユーザを優しく眠りに誘う音楽とを選択的に切り替えて発生する音声発生部２と、音声発生部２とともに本体１に内蔵され、音声発生部２が発する音声のリズムに同調して空気を本体１から吹き出す空気吹出部３と、音声発生部２及び空気吹出部３の作動を制御する制御部４とを備えている。さらに、本愛玩具のぬいぐるみは、音声発生部２及び空気吹出部３の作動パターンを切り替える第一のスイッチ部５と、音声又は音楽の発生パターンを切り替える第二のスイッチ部６と、音声発生部２及び空気吹出部３の作動をオン又はオフする主スイッチ部７とを備えている。
音声発生部２、空気吹出部３、制御部４、第一及び第二のスイッチ部５、６、並びに主スイッチ部７は、樹脂製のケーシング８に一体的に組み込まれ、ケーシング８は本体１の背中の部分に設けられた袋状の収容部１ａに、取り出しが可能なように収容されている。通常使用時には、収容部１ａは口の部分に縫い付けられた雌雄の面ファスナー（図示略）によって閉じられている。
【００１５】
ケーシング８には、音声発生部２及び空気吹出部３を駆動する乾電池を収める電池収容部９が設けられている。乾電池を交換する際は面ファスナーを外して収容部１ａの口を開き、電池収容部９の外蓋を外して乾電池を交換する。
【００１６】
図５にはケーシング８に内蔵された各部の機能ブロック図を示している。
音声発生部２は、音声及び音楽を記録したメモリ２１と、スピーカ２２と、メモリ２１に記録された音声及び音楽をスピーカ２２で再生させるスピーカ駆動部２３とを備えている。メモリ２１及びスピーカ駆動部２３は制御部４を構成する基板４ａ上に搭載されている。音声発生部２を作動させると、ぬいぐるみがあたかも生命を宿しているかのように寝息のような呼吸音を一定の周期で連続的に発したり、当該音声のＢＧＭ（バック・グラウンド・ミュージック）のようにユーザを優しく眠りに誘う音楽を発したりする。なお、メモリ２１に記録された音声は、人工的に合成されたものでなくても、実在の生き物（例えば人間や動物）の呼吸音を録音したものであってもよい。
【００１７】
空気吹出部３は、空気を吸い込み加速して送出するファン３１と、ファン３１を駆動するモータ３２と、モータ３２を駆動するモータ駆動部３３と、ファン３１から送出される空気を吹き出すノズル部３４とを備えている。モータ駆動部は制御部４を構成する基板４ａ上に搭載されている。ファン３１とモータ３２とはユニット化されている。ノズル部３４は、生き物の形態を模した本体１の口に相当する部分に配置されている。ノズル部３４から吹き出される空気の量はユーザが空気の流れを微妙に感じとれる程度にファンの大きさの選択及びモータ３２の回転数の設定などを行い、設計段階で事前に調整されている。空気吹出部３を作動させると、ぬいぐるみは口の部分からノズル部３４を通じてあたかも呼吸しているかのように空気を吹き出す。音声発生部２が再生する寝息のような音声の発生周期と、ぬいぐるみの口の部分から空気を吹き出すために作動される空気吹出部３の作動周期は同調している。つまり、寝息のような音声が再生されている間、空気吹出部３が作動して呼吸しているかのように空気を吹き出す。
【００１８】
第一のスイッチ部５は制御部４に接続されており、音声発生部２及び空気吹出部３に予め設定された所定の作動パターンを開始したり停止したりする場合に操作される。また、第一のスイッチ部５は、所定の作動パターンを一定の時間延長する場合にも操作される。具体的には、本愛玩具のぬいぐるみを使用中、第一のスイッチ部５を構成するボタン５ａを一度押すと、押した時点から１５分間に渡り音声発生部２及び空気吹出部３の作動が継続するようになっている。また、ボタン５ａをいわゆるダブルクリックの要領で続けて二度押すと、その時点で音声発生部２及び空気吹出部３の作動が停止するようになっている。第一のスイッチ部５を構成するボタン５ａは、丁度ぬいぐるみのお腹の部分にあたるケーシング８の正面に設けられている。ボタン５ａの押下面は、ケーシング８の表面よりも低くなっており、ボタン５ａの意図しない操作を防止している。
第二のスイッチ部６は、第一のスイッチ部５と同様に制御部４に接続されており、音声又は音楽の発生パターンを切り替える場合に操作される。具体的には、本愛玩具のぬいぐるみを使用中、第二のスイッチ部６を構成するボタン６ａを押し込む度に、音声だけの再生と、音声及び音楽の同時再生とが交互に切り替わるようになっている。
【００１９】
主スイッチ部７も、第一、第二のスイッチ部５、６と同様に制御部４に接続されており、音声発生部２及び空気吹出部３を起動させる場合に操作される。さらに、主スイッチ部７には、音声発生部２が再生する音声及び音楽の音量を大小二段階のいずれかに調節する機能も与えられている。具体的には、主スイッチ部７を構成するスライダ７ａは、中立を電源オフとし、その位置から一方にスライドされることで音声及び音楽が小さい音量で再生され、他方にスライドされることで音声及び音楽が大きい音量で再生されるようになっている。第二のスイッチ部６を構成するボタン６ａ、及び主スイッチ部７を構成するスライダ７ａは、ぬいぐるみの背中の部分にあたるケーシング８の裏面、すなわち第一のスイッチ部５とは反対側の面に設けられている。
【００２０】
音声発生部２及び空気吹出部３を使用するにあたり、ユーザは、まずケーシング８の裏面に設けられた主スイッチ部７のスライダ７ａをぬいぐるみ本体１の上から操作し、中立の位置からユーザの希望に応じていずれか一方にスライドさせる。スライダ７ａが操作されると、ユーザが選択した音量が設定されたうえで音声発生部２及び空気吹出部３が起動する。
【００２１】
主スイッチ部７を操作した後、第二のスイッチ部６のボタン６ａを押し込む。ボタン６ａが操作されると、音声発生部２が音声だけが再生されるモード（以下、音声モードと称す）に切り替わるとともに、音声モードが選択されたことを知らせる短い音楽がスピーカ２２から再生される。もう一度ボタン６ａを押し込むと、音声発生部２が音声と共にオルゴールで奏でたＢＧＭ音楽が再生されるモード（以下音声/音楽モードと称す）に切り替わるとともに、音声/音楽モードが選択されたことを知らせる短い音楽がスピーカ２２から再生される。なお、音声モードを知らせる音楽は、音声/音楽モードを知らせる音楽とは当然メロディが異なっている。ユーザはボタン６ａを操作し、ふたつのモードのいずれかをその時々の好みに応じて選択することができる。
【００２２】
第二のスイッチ部６を操作した後、第一のスイッチ部５のボタン５ａを押す。ボタン６ａが操作されると音声発生部２及び空気吹出部３が作動する。
音声モードが選択されている場合、本愛玩具のぬいぐるみは、あたかも生命を宿しているかのように寝息のような呼吸音を一定の周期で連続的に発すると共に、口の部分からあたかも呼吸しているかのように空気を吹き出す。音声発生部２が再生する寝息のような音声の発生周期と、ぬいぐるみの口の部分から空気を吹き出すために作動される空気吹出部３の作動周期は同調している。つまり、寝息のような音声が再生されている間、空気吹出部３が作動して呼吸しているかのように空気を吹き出す。具体的には、２秒間にわたり息を吸う音声（吸気音）を発し、続いて３秒間にわたり息を吐く音声（排気音）を発すると共に口の部分から空気を吹き出す。前半の２秒間ではファン３１は駆動されない。つまり、空気吹出部３は、吸気音発生時にはモータ３２の駆動を停止し、排気音発声時にはモータ３２を駆動する。音声発生部２及び空気吹出部３は、この５秒間にわたる作動パターンをひとつのサイクルとし、ボタン５ａを押してから１５分間にわたってそのサイクルを繰り返す。
音声/音楽モードが選択されている場合、本愛玩具のぬいぐるみは、上記の呼吸音を一定周期で連続的に発しつつ呼吸するように空気を吹き出すと共に、オルゴールで奏でたＢＧＭ音楽を発する。ＢＧＭ音楽は、上記サイクルの繰り返しに関係なく、ボタン５ａを押してから１５分間にわたって再生される。
【００２３】
これにより、ユーザは、可愛らしいぬいぐるみがさもその場に生きて存在し、自分のそばで穏やかな寝息をたてて眠りに着いているかのような感覚を得て安らぎを感じ、やがて自らも静かに眠りに落ちていく。もし、１５分が経とうとしても十分な眠気を感じないとき、ユーザはボタン５ａをもう一度押し、上記サイクルを１５分間にわたって繰り返す。十分な眠気を感じたときは、ユーザがボタン５ａをダブルクリックの要領で二度押すと、音声発生部２及び空気吹出部３は作動を停止する。
音声発生部２及び空気吹出部３が上記のように作動している間にユーザが眠りに落ちてしまうこともある。そんなときも、音声発生部２及び空気吹出部３は何の操作を必要とすることなくボタン５ａを押してから１５分後に作動を停止する。
【００２４】
本考案は主に就寝時の使用を想定しているが、眠気を感じてまどろむユーザは無意識に身体を動かすことが当然予想される。そういった無意識の動きによって空気吹出部３の作動が阻害されないように、本考案には空気の送出手段としてファン３１が採用され、さらにファン３１をケーシング８に納めた構造となっている。そのため、ユーザが無意識に身体を動かすことで本考案のぬいぐるみを身体の下に引いたり圧迫したりしても、空気の吹出動作が止まってしまうことはない。また、ファン３１はモータ３２で駆動されるためモータ３２の作動音を生じるが、ファン３１が回転し空気を吹き出している間は寝息の音が再生されているので、モータ３２の作動音を打ち消され、ユーザに不自然さを感じさせることがない。
また、第一のスイッチ部５ではボタン５ａの押下面がケーシング８の表面よりも低くなっている。これにより、第一のスイッチ部５を操作するにはボタン５ａを指先で押し込むような動きが必要であり、眠気を感じてまどろむユーザが無意識にする動作などでは第一のスイッチ部５が操作されることはない。
【００２５】
ところで、上記実施形態において説明した本考案のぬいぐるみは、一見するとクマの形態を模したものであるが、その形態はクマ以外の動物であってもよいし、当然人間の形態を模したものであってもよい。また、実体は生物ではない物体であるが例えばアニメのキャラクターなどに見られるように生体的な個性を与えられたものの形態を模したものであってもよい。動物や人間を模したものである場合、空気はそれらの口に相当する部分から吹き出すのが生き物としての実物感を増す上で大事な要素と考えられるが、実体は生物ではない物体を模したものである場合は、その物の特徴に応じて生体的な個性を演出できる部分から空気を吹き出すようになっていてもよい。例えば、車や機関車のキャラクターを模したぬいぐるみであれば、マフラやえんとつに相当する部分から空気を吹き出してもユーザの共感を得られるかも知れない。
【００２６】
本考案のぬいぐるみの使い方はユーザの趣向により様々だが、本来意図されるのは、就寝時に枕元に置く、持ち歩いて休憩時に腕に抱くなどの使い方である。その場合、ユーザは好みの香水などを少量ぬいぐるみの本体に吹きかけておいてもよい。そうすると、香水の香りがぬいぐるみから吐き出される空気で拡散するのでユーザをリラックスさせ眠りを誘う効果が高まるであろう。
【００２７】
本考案の上記実施形態では、２秒間にわたり息を吸い、続いて３秒間にわたり息を吐く音声を発すると共に口の部分から空気を吹き出す作動パターンをひとつのサイクルとし、同サイクルを１５分間継続する。それぞれの時間的な間隔は科学的な検証に基づき採用されているが、本考案はその時間までをも特定するものではない。年代や性別、地域性などの違いにより、想定されるユーザの特徴は異なると考えられるので、本考案の実施に当たってはユーザの特徴、嗜好などを検討して様々なバリエーションが許容されることはいうまでもないことが特筆される。
【００２８】
本考案は前述した説明によって限定されることはなく、添付のクレームの範囲によってのみ限定される。
【符号の説明】
【００２９】
１  本体、１ａ  収容部、２  音声発生部、３  空気吹出部、４  制御部、５  第一のスイッチ部、５ａ  ボタン、６  第二のスイッチ部、６ａ  ボタン、７  主スイッチ部、７ａ  スライダ、８  ケーシング、９  電池収容部、２１  メモリ、２２  スピーカ、２３  スピーカ駆動部、３１  ファン、３２  モータ、３３  モータ駆動部、３４  ノズル部
【図１】
0003192253.tif 000003
【図２】
0003192253.tif 000004
【図５】
0003192253.tif 000005
【図３】
0003192253.tif 000006
【図４】
0003192253.tif 000007
【手続補正書】
【提出日】平成26年6月10日(2014.6.10)
【手続補正１】
【補正対象書類名】実用新案登録請求の範囲
【補正対象項目名】全文
【補正方法】変更
【補正の内容】
【実用新案登録請求の範囲】
【請求項１】
生き物の形態若しくは生体的な個性を与えられた物体の形態を模した本体と、
前記本体に内蔵され、生き物の呼吸音を録音したか若しくは人工的に合成した音声を発する音声発生部と、
前記音声発生部とともに前記本体に内蔵され、前記音声発生部が発する音声のリズムに同調して空気を前記本体から吹き出す空気吹出部とを備える誘眠効果を生む愛玩具。
【請求項２】
前記空気吹出部は、空気を吸い込み加速して送出するファンと、前記ファンを駆動するモータと、前記ファンから送出される空気を吹き出すノズル部とを備える請求項１に記載の愛玩具。
【請求項３】
前記ノズル部は、生き物の形態を模した前記本体の口に相当する部分に配置されている請求項２に記載の愛玩具。
【請求項４】
前記音声発生部及び前記空気吹出部を制御する制御部をさらに備え、
前記音声発生部は、生き物が呼吸する際の吸気音及び該吸気音に続いて発生する排気音をそれぞれ所定時間ずつ発生させることを前記音声のひとつのサイクルとして該サイクルを繰り返し発生するように制御され、
前記空気吹出部は、吸気音発生時には前記モータの駆動を停止し、排気音発声時には前記モータを駆動するように制御される請求項２又は３に記載の愛玩具。
【請求項５】
前記音声発生部及び前記空気吹出部の作動開始、作動停止及び作動の延長を行うために操作される第一のスイッチ部をさらに備え、
前記第一のスイッチ部を構成するボタンは、前記音声発生部及び前記空気吹出部を収めるケーシングの一部に設けられ、前記ボタンの押下面は前記ケーシングの表面よりも下位にある請求項１から４のいずれか一項に記載の愛玩具。
【手続補正２】
【補正対象書類名】明細書
【補正対象項目名】００１０
【補正方法】変更
【補正の内容】
【００１０】
本考案の愛玩具は、前記音声発生部及び前記空気吹出部を制御する制御部をさらに備え、前記音声発生部は、生き物が呼吸する際の吸気音及び該吸気音に続いて発生する排気音をそれぞれ所定時間ずつ発生させることを前記音声のひとつのサイクルとして該サイクルを繰り返し発生するように制御され、前記空気吹出部は、吸気音発生時には前記モータの駆動を停止し、排気音発声時には前記モータを駆動するように制御されてもよい。